(57)【要約】【課題】蓋の開閉の際に、水滴が機器内部に侵入することを防止する。【解決手段】ダンパ２２は、ギア部２２ａとギア支持部２２ｂとから構成されている。蓋１２を筐体２ａに取り付けるには、ダンパ２２をダンパ取付穴１２ｅに挿入してギア部２２ａを係止爪１２ｆに噛合した状態で、軸取付部１２ａ，１２ｂを軸受部２３ａ，  ２３ｂに組み付けるとともに、ギア支持部２２ｂをダンパ支持部２４の支持開口２４ａに嵌合する。蓋１２は、捩りバネ２７によって開き位置に向けて付勢されている。蓋１２は、閉じ位置から開き位置に回動する際に、ダンパ２２の制動力により、減速回動して任意の開き位置に達し、この開き位置（角度）を保持する。【選択図】        図２
2004212710.tif 000002
【特許請求の範囲】
【請求項１】
機器本体に形成された開口を覆う閉じ位置と、前記開口を開放する開き位置との間で回動自在に取り付けられ、前記閉じ位置にあるときに前記開口内を水密に保持する蓋を備えた防水型電子機器において、
前記蓋の開閉動作に制動力を付与するダンパを設けたことを特徴とする防水型電子機器。
【発明の詳細な説明】
【０００１】
【発明の属する技術分野】
本発明は、電子機器の内部への水滴の浸入を防止する防水型電子機器に関するものである。
【０００２】
【従来の技術】
水中撮影が可能な防水型デジタルカメラ等、各種の防水型電子機器が知られている。防水型電子機器には、本体に形成されたバッテリ収納室やメモリカードスロット等の開口を水密に覆うために、パッキン等で防水対策が施された防水蓋が使用される（例えば、特許文献１参照）。
【０００３】
このような防水蓋は、前記開口を開く開き位置と、それを閉じる閉じ位置の間で回動自在に取り付けられており、ユーザが開けやすいように、開き位置に向けてバネ付勢されているものが多い。
【０００４】
【特許文献１】実開平７−１０９８４号公報
【０００５】
【発明が解決しようとする課題】
しかしながら、上述したように防水蓋をバネ付勢すると、防水蓋が開き位置に向けて勢いよく回動してしまい、防水蓋の外面や防水蓋の付近に付着した水滴が飛散して前記開口内へ侵入してしまうことがあった。
【０００６】
本発明は、蓋を開閉する際に、開口内への水滴の侵入を防止できる防水型電子機器を提供することを目的とする。
【０００７】
【課題を解決するための手段】
上記目的を達成するために、本発明の防水型電子機器は、機器本体に形成された開口を覆う閉じ位置と、前記開口を開放する開き位置との間で回動自在に取り付けられ、前記閉じ位置にあるときに前記開口内を水密に保持する蓋を備えたものであって、前記蓋の開閉動作に制動力を付与するダンパを設けたことを特徴とするものである。
【０００８】
【発明の実施の形態】
図１は、本発明を実施したデジタルカメラ２の前面の構成を示す外観斜視図である。デジタルカメラ２は、その筐体２ａが防水性を有しており、スキューバダイビング等での水中撮影が可能なものになっている。デジタルカメラ２の前面には、撮影レンズ３が組み込まれたレンズ鏡筒４、ファインダを構成する対物側ファインダ窓５、被写体に向けてストロボ光を照射するストロボ発光部６、シャッタレリーズ操作に用いられるシャッタボタン７等が設けられており、後面には、ファインダを構成する接眼側ファインダ窓や操作部（図示せず）等が設けられている。
【０００９】
デジタルカメラ２の一方の側面には、メモリカード１０が着脱自在にセットされるメモリカードスロット１１が設けられている。メモリカードスロット１１は、蓋１２によって開閉される。蓋１２には、パッキン１３が取り付けられており、蓋１２が閉じられると、メモリカードスロット１１が水密に保たれる。
【００１０】
図２、図３は、蓋１２の取付構造を示す説明図である。蓋１２は、メモリカードスロット１１を覆う閉じ位置と、メモリカードスロット１１を開放する開き位置とで回動する。蓋１２は、閉じ位置では、蓋１２の一端に取り付けられたフック１４が筐体２に設けられた係合穴１５と係合して筐体２ａ側に固定されるとともに、メモリカードスロット１１を水密に覆う。
【００１１】
ユーザが蓋開閉スイッチ１６を操作してフック１４を外すとともに、蓋１２は、閉じ位置から任意の開き位置に向けて回動する。この回動の際、後述する捩りバネによって開き位置に向けて付勢された蓋１２は、この蓋１２に係合されているダンパ２２の制動力により、減速回動して任意の開き位置に達し、この開き位置（角度）を保持する。
【００１２】
蓋１２には、一端に軸取付部１２ａ，  １２ｂが形成されている。取付部１２ａ、軸取付部１２ｂの一方の側面には、軸２６が挿入される挿入穴１２ｃ，  １２ｄがそれぞれ設けられている。挿入穴１２ｃは、軸２６を貫通させるように形成され、挿入穴１２ｄは、軸２６の挿入量を制限する凹型の形状で形成されている。蓋１２を筐体２ａに軸着する際には、軸取付部１２ａと軸取付部１２ｂとの間に軸受部２３ｂを配置して軸２６を挿入する。
【００１３】
軸取付部１２ｂのもう一方の側面には、ダンパ２２が挿入される円形のダンパ取付穴１２ｅが設けられており、そのダンパ取付穴１２ｅの外周面には、複数の係止爪１２ｆが形成されている。
【００１４】
ダンパ２２は、弾性部材で形成される歯車を有するギア部２２ａ、ギア部２２ａを軸支するギア支持部２２ｂから構成されており、蓋１２に制動力を与える。ギア支持部２２ｂは、ギア部２２ａの回転に抵抗を与え、ギア部２２ａの回転角度及び回転速度を制限する。ダンパ２２は、ダンパ取付穴１２ｅに挿入され、ギア部２２ａが係止爪１２ｆに噛合される。
【００１５】
筐体２ａに設けられる一対の軸受部２３は、軸受部２３ａ，  ２３ｂから構成されている。軸受部２３ａ，  ２３ｂには、軸２６が挿入される挿入穴２３ｃ，  ２３ｄがそれぞれ設けられている。軸受部２３ａは、軸受部２３ｂの外形より小さく形成されており、軸受部２３ａの外面に軸抜止部材２７が被せられることによって軸受部２３ｂと同じ形状、且つ、同じ高さになる。蓋１２を筐体２ａに軸着する際には、軸受部２３ａと軸受部２３ｂとの間に蓋１２の軸取付部１２ａを配置して軸２６を挿入する。
【００１６】
ダンパ保持部２４は、ダンパ取付穴１２ｅにダンパ２２を挿入した状態で、ギア支持部２２ｂが筐体２ａに当接する位置に設けられている。ギア支持部２２ｂは、支持開口２４ａに嵌合され、位置決めされる。
【００１７】
ダンパ目隠し２５は、軸受部２３ｂ、軸抜止部材２７と同じ形状、且つ、同じ高さに形成されており、ダンパ保持部２４、及びこれに固定されたダンパ２２の外面に被せられる。
【００１８】
軸２６は、軸取付部１２ａ，  １２ｂを軸受部２３ａ，  ２３ｂに組み付けた状態でそれぞれの挿入穴に挿入され、蓋１２を筐体２ａに軸着させる。軸２６は、デジタルカメラ２の下面側に設けられた軸受部２３ａの挿入穴２３ｃから挿入されて挿入穴１２ｃ及び挿入穴２３ｄを貫通し、挿入穴１２ｄに挿入される。図３に示すように、軸２６は、その先端が挿入穴１２ｄの底部１２ｇに当接したときに、その末端が挿入穴２３ｃの中に収まる長さに形成されている。
【００１９】
軸２６には、捩りバネ２７が取り付けられている。捩りバネ２７は、一端が蓋１２に設けられたピン１２ｈに、他端が筐体２ａに設けられたピン２ｂに掛けられており、蓋１２を開き位置に向けて付勢する。軸抜止部材２８は、軸受部２３ａの外面に被せられて軸２６の抜けを防止する。
【００２０】
上述したように、ユーザは、メモリカード１０を出し入れするためにメモリカードスロット１１を開放する場合、蓋開閉スイッチ１６を操作して蓋１２を開く。この際、蓋１２は、ダンパ２２の制動力により、規制された回動速度で回動して任意の開き位置に達し、この開き位置を保持するから、バネ付勢により、勢いよく回動することができないので、蓋に付着した水滴が飛散してスロット内に侵入してしまうことがない。また、蓋１２の回動速度を規制したことにより、デジタルカメラ２の高級感、質感を得ることができる。
【００２１】
ダンパ２２は、ギア部２２ａをダンパ取付穴１２ｅに挿入して係止爪１２ｆと噛合させ、ギア支持部２２ｂをダンパ保持部２４に嵌合させることで取り付けられる。このように、取り付けが容易であるから、製造コストが低く抑えられる。
【００２２】
図４に示すように、軸取付部１２ａ，  １２ｂ、軸受部２３ｂ、ダンパ目隠し２５及び軸抜止部材２８は、それぞれ同じ高さに形成されており、ひんじ部の凹凸が少なくなっている。このように、蓋１２が閉じ位置にあるとき、デジタルカメラ２の外面がフラットになるから、外観の意匠性を保つことができる。
【００２３】
本実施形態によれば、筐体２ａに一対の軸受部２３が設けられるが、ひんじの役割を果たすことができれば、単体の軸受部品であっても構わない。
【００２４】
【発明の効果】
以上のように、本発明の防水型電子機器によれば、蓋の開閉動作に制動力を付与するダンパを設け、蓋が規制された回動速度で回動して任意の開き位置に達し、この開き位置を保持するようにしたから、蓋を開く際に、蓋の外面や蓋の付近に付着した水滴が飛散しにくくなり、開口内への水滴の侵入を防止することができる。
【図面の簡単な説明】
【図１】デジタルカメラの前面の構成を示す外観斜視図である。
【図２】蓋の取付構造を示す説明図である。
【図３】蓋の取付構造を示す説明図である。
【図４】蓋の閉じ位置の状態を示す説明図である。
【符号の説明】
２  デジタルカメラ
１１  メモリカードスロット
１２  蓋
１２ａ，  １２ｂ  軸取付部
１２ｅ  ダンパ取付穴
１２ｆ  係止爪
２２  ダンパ
２２ａ  ギア部
２２ｂ  ギア支持部
２３ａ，  ２３ｂ  軸受部
２４  ダンパ保持部
２６  軸
【図１】
2004212710.tif 000003
【図２】
2004212710.tif 000004
【図３】
2004212710.tif 000005
【図４】
2004212710.tif 000006